(57)【要約】【課題】荷台を支障なく移動させることのできる、サイドガードを備えた荷台可動車両の提供。【解決手段】車体フレームと、前記車体フレームに対して移動可能に設けられた荷台と、前記車体フレームの側方に位置するサイドカバーと、前記車体フレームの側方に張り出すステーと、前記ステーに対して前記サイドカバーを、前後方向に延びる軸を中心として回動可能に連結するヒンジ部と、前記ステーに対して前記サイドカバーを係止する止め具とを備える。【選択図】図２
2015096387.tif 000002
【特許請求の範囲】
【請求項１】
車体フレームと、
前記車体フレームに対して移動可能に設けられた荷台と、
前記車体フレームの側方に位置するサイドカバーと、
前記車体フレームの側方に張り出すステーと、
前記ステーに対して前記サイドカバーを、前後方向に延びる軸を中心として回動可能に連結するヒンジ部と、
前記ステーに対して前記サイドカバーを係止する止め具とを備えた荷台可動車両。
【請求項２】
前記ステーは、前記車体フレームから側方に延びる側方ステーと、該側方ステーから下方に延びる上下ステーとを備え、
前記上下ステーには、前後方向に延びるバーが取り付けられ、
前記ヒンジ部は前記バーに設けられた請求項１に記載の荷台可動車両。
【請求項３】
複数の止め具が用いられ、該複数の止め具は、主止め具と、該主止め具とは係止方式が異なる副止め具とから構成された請求項１または２に記載の荷台可動車両。
【発明の詳細な説明】
【技術分野】
【０００１】
本発明は、サイドガードを備えた荷台可動車両に関するものである。
【背景技術】
【０００２】
従来、サイドガードを備えた車両が知られており、例えば特許文献１に示されている。サイドガードとは、車両の側方における、側面視で前輪と後輪との間に設置された板状部材であって、衝突事故の際等に、車体フレームに取り付けられたバッテリー、燃料タンク、スペアタイヤ等を衝突物から保護したり、歩行者や物体の巻き込みを防止したりするために設けられている。
【０００３】
このサイドガードは、車両の本体に対しヒンジを介して回動可能に支持され、かつ、ロック機構により車両の本体に係止されるよう構成されている。このため、ロック機構を開放した上でサイドガードを車両の本体に対して回動させることにより、サイドガードによって隠されていたバッテリー等を露出させることができるため、車両のメンテナンス作業等を容易に行うことができる。
【０００４】
ここで、特許文献１に記載の車両は、荷台が車体フレームに対して固定されている。そして、前記ロック機構は荷台に位置している。このため、例えば荷台が車体フレームに対して前後方向に移動可能な車両（荷台可動車両）である場合に特許文献１に記載の構成を適用しようとすると、荷台を移動させるに先立ってロック機構を開放しなければならない。そして、もしもロック機構を開放せずに荷台を移動させてしまった場合には、ロック機構が破損してしまう。このように、特許文献１に記載のサイドガードを荷台可動車両に適用することは困難である。
【先行技術文献】
【特許文献】
【０００５】
【特許文献１】実開昭５４−１８４４号公報
【発明の概要】
【発明が解決しようとする課題】
【０００６】
そこで本発明は、荷台を支障なく移動させることのできる、サイドガードを備えた荷台可動車両を提供することを課題とする。
【課題を解決するための手段】
【０００７】
本発明は、車体フレームと、前記車体フレームに対して移動可能に設けられた荷台と、前記車体フレームの側方に位置するサイドカバーと、前記車体フレームの側方に張り出すステーと、前記ステーに対して前記サイドカバーを、前後方向に延びる軸を中心として回動可能に連結するヒンジ部と、前記ステーに対して前記サイドカバーを係止する止め具とを備えた荷台可動車両である。
【０００８】
この構成によれば、サイドカバーがサイドガードとして機能するものとでき、荷台の移動に際し、移動の都度止め具を開放させる必要がない。また、ヒンジ部、止め具等を破損してしまう可能性を小さくできる。
【０００９】
また、前記ステーは、前記車体フレームから側方に延びる側方ステーと、該側方ステーから下方に延びる上下ステーとを備え、前記上下ステーには、前後方向に延びるバーが取り付けられ、前記ヒンジ部は前記バーに設けられるものとできる。
【００１０】
この構成によれば、ヒンジ部は前記バーに設けられる。このため、ヒンジ部がステーではなくバーに位置することから、複数のステーの配置間隔が異なる車両に対しても、ヒンジ部を位置変更することなく取り付けることができる。
【００１１】
また、複数の止め具が用いられ、該複数の止め具は、主止め具と、該主止め具とは係止方式が異なる副止め具とから構成されたものとできる。
【００１２】
この構成によれば、複数の止め具が主止め具と副止め具ととから構成されたことにより、複数の止め具が単一の係止方式の止め具のみから構成された場合に比べてサイドカバーを確実に係止できる。
【発明の効果】
【００１３】
本発明によると、荷台の移動に際し、移動の都度止め具を開放させる必要がない。また、ヒンジ部、止め具等を破損してしまう可能性を小さくできる。このため、荷台を支障なく移動させることのできる、サイドガードを備えた荷台可動車両を提供できる。
【図面の簡単な説明】
【００１４】
【図１】本発明の一実施形態による荷台可動車両を示す側面図である。
【図２】同車両のサブフレーム、ステー、サイドカバーを示す分解斜視図である。
【図３】（ａ）は図１のＡ−Ａ矢視図、（ｂ）は図１のＢ−Ｂ矢視図、（ｃ）は（ａ）のＣ部拡大図、（ｄ）は（ｂ）のＤ部拡大図である。
【発明を実施するための形態】
【００１５】
次に、本発明につき一実施形態を取り上げて説明を行う。なお、以下の方向に関する記載において、前後方向及び幅方向は車両の前後方向及び幅方向に対応している。また、内外方向については、「内側」は車両の幅方向中心線に近い側、「外側」は同中心線から遠い側を示す。
【００１６】
図１に示すように、本実施形態の荷台可動車両（以下、「車両」）１は車体フレーム２と荷台３とを備える。車体フレーム２はシャシフレーム２１とシャシフレーム２１上に固定されるサブフレーム２２とからなる。サブフレーム２２は、前後方向に並行に延びる二本の前後部材２２１，２２１と、二本の前後部材２２１，２２１を結ぶ複数（形状はそれぞれ異なる）の幅部材２２２…２２２を備える。荷台３はサブフレーム２２上に、このサブフレーム２２に対して前後方向Ｍ１に移動可能に設けられている。図示はしないが、この荷台３は、後端部よりも前端部が高くなるように傾動されつつ後方に移動されることにより路面や地面に接地させることができる。荷台３を移動可能とする構成としては、例えば、本願出願人による特開２００９−６７２９９号公報に記載の構成を採用でき、荷台３上に乗用車や土木機械を搭載できる。
【００１７】
図２に示すように、ステー４はサブフレーム２２から幅方向外方に延びる棒状の部分である。本実施形態では、幅方向の片側当たりで４本のステー４…４が、図３（ａ）（ｂ）に示すようにサブフレーム２２にボルト固定されている。本実施形態のステー４では、基端部がサブフレーム２２に対して固定されており、サブフレーム２２から水平方向に延びる側方ステー４１と、側方ステー４１の先端部に一体に設けられて下方向に延びる上下ステー４２とを備えている。上下ステー４２の先端にはバー５が固定されている。幅方向の片側当たりで４本の上下ステー４２…４２のうち、後方３本は鉛直方向に延びており、前方１本は前方に向かうような斜め下方に延びている。これら上下ステー４２…４２は前後方視では全て鉛直方向に延びているため、この上下ステー４２…４２に沿わせるように、閉じた状態のサイドカバー６を鉛直方向に配置できる。なお本実施形態において、サイドガードはバー５とサイドカバー６とから構成される。
【００１８】
バー５は、前後方向に延びる棒状の部材である。本実施形態のバー５は鋼板が折り曲げられて断面略正方形に形成されており、このバー５の前後方向両端には、歩行者等が接触して負傷することのないように、樹脂製の保護部材５１が取り付けられている。
【００１９】
サイドカバー６は、鋼板が折り曲げられて形成された板状部材である。このサイドカバー６は側面視において前後方向に細長い長方形とされている。サイドカバー６は車両１において、前後方向については前輪１１と後輪１２との間、上下方向については車体フレーム２とバー５との間に位置している。このようにサイドカバー６が位置していることにより、シャシフレーム２１等に取り付けられたバッテリー、燃料タンク、スペアタイヤ、工具箱等を側面視において隠すことができる。このため、衝突事故の際等に、バッテリー等を衝突物から保護したり、歩行者や物体の巻き込みを防止したりできる。また、バッテリー等が露出しないため、側面視における美観を向上できる。
【００２０】
詳しくは後述するが、サイドカバー６は、上下ステー４２の上端近くに位置する止め具８により閉じた状態で係止される。つまり、図３（ａ）（ｂ）から明瞭に理解できるように、サイドカバー６は荷台３とは縁が切られている。このため、荷台３を前後に移動させる際、いちいち止め具８を開放しなくてよい。そして、もし止め具８を開放せずに荷台を移動させてしまった場合にも止め具８が破損してしまうことがない。
【００２１】
このサイドカバー６は、ヒンジ部７によりバー５に固定されている。つまり、ヒンジ部７はステー４に対して（バー５を介して）サイドカバー６を連結する。本実施形態のヒンジ部７としては蝶番が用いられており、図３（ｃ）に示すように、バー５の上端面とサイドカバー６の下端面との間に位置する。このヒンジ部７により、サイドカバー６は、前後方向に延びる軸７１を中心として、図２及び図３（ａ）に示す方向Ｍ２に回動可能に支持される（図３（ａ）に開放時のサイドカバー６を二点鎖線で示す）。なお、ヒンジ部７がバー５の上端面に位置することから、複数のステー４…４の配置間隔が異なる車両に対しても、ヒンジ部７を位置変更することなく取り付けることができる。
【００２２】
止め具８は、ステー４にサイドカバー６を係止する。本実施形態の止め具８は片側当たり３個が用いられており、主止め具８１が２個と副止め具８２が１個から構成されている。
【００２３】
主止め具８１として、本実施形態では周知の構造であるリングラッチが用いられている。主止め具８１は、片側当たり、サイドカバー６の前方寄りと後方寄りに２個が設けられており、本体８１１がサイドカバー６に、被係止部８１３がステー４のうち上下ステー４２の上端近くに位置している。なお、後方に位置する被係止部８１３は、副止め具８２の本体８２１の取付ブラケットを兼ねている。このリングラッチは建物等のドアに内蔵されるラッチと同様の構造を有しており、本体８１１におけるケーシング８１１ａに対し出没可能に設けられ、ばねにより突出方向に付勢された可動爪である爪部８１２が被係止部８１３の有する孔に係止されることで、被係止部８１３に対して本体８１１が（車両１における）幅方向に移動することを阻止する。そして、リング状の操作部８１４を作業者等が操作することにより爪部８１２をケーシング８１１ａに引っ込めることができ、これにより係止解除がなされて、本体が幅方向に移動することが可能となる。
【００２４】
なお、図３（ｄ）に示すように、爪部８１２は車両１の幅方向外側が垂直面を有し、同内側が斜面を有する。このため、サイドカバー６を係止させる際には、サイドカバー６を作業者等が幅方向内側に押し込むことにより、リングラッチの爪部８１２を被係止部８１３に係止させることができる。
【００２５】
一方、副止め具８２として、本実施形態では周知の構造であるパチン錠が設けられている。副止め具８２は、片側当たり、サイドカバー６の後方寄りに１個が設けられており、本体８２１がステー４のうち上下ステー４２の上端近くに、被係止部８２２がサイドカバー６に位置している。このパチン錠は、先端が上下方向に揺動可能な枠状部８２３を、レバー８２４を操作することにより、（車両１における）幅方向に付勢力が付与された状態で被係止部８２２に引掛けることで、本体８２１に対して被係止部８２２が幅方向に移動することを阻止する。本実施形態の枠状部８２３は、図３（ｄ）に示すように側面視で略逆Ｖ字状（あるいは「へ」の字状）に形成されており（なお、図２は略示したものである）、レバー８２４の操作により幅方向に引っ張られて変形することで前記付勢力が付与される。ただし枠状部８２３は、幅方向に変形しない状態で被係止部８２２に引掛けられるよう構成されることもできる。
【００２６】
以上のように、主止め具８１と副止め具８２とは係止方式が異なる。つまり、主止め具８１であるリングラッチが、ばね付勢された爪部８１２が被係止部８１３に係止される方式（言わば「可動爪係止方式」）であるのに対し、副止め具８２であるパチン錠は、付勢力が付与された枠状部８２３が被係止部８２２に係止される方式（言わば「引掛け係止方式」）であって、両方式は異なっている。このように複数の止め具８…８が、主止め具８１と、該主止め具８１とは係止方式が異なる副止め具８２とから構成されたことにより、仮に主止め具８１が不意に係止解除されても、係止方式が異なる副止め具８２は係止状態を維持できることが多い。つまり、副止め具８２は主止め具８１の係止機能を補助すると共にバックアップしていると理解できる（逆に、主止め具８１は副止め具８２の係止機能を補助すると共にバックアップしているとも言える）。よって、車両走行中の振動等により主止め具８１が係止解除されてしまっても、副止め具８２によりサイドカバー６が開放されてしまうことを抑制でき、安全である。
【００２７】
また、図２に示すように、ステー４とサイドカバー６とを結ぶようにワイヤー９が取り付けられている。このワイヤー９は、止め具８の係止解除がされた際にステー４とサイドカバー６との間で張られることにより、サイドカバー６の開度を一定に保つ。
【００２８】
以上、本発明につき一実施形態を取り上げて説明したが、本発明は前記実施形態に限定されない。例えば、前記実施形態の上下ステー４２…４２は前後方視では全て鉛直方向に延びているため、この上下ステー４２…４２に沿わせるように、閉じた状態のサイドカバー６を鉛直方向に配置できるものであったが、上下ステー４２…４２を前後方視で斜め方向に延びるようにしておくことで、閉じた状態のサイドカバー６を斜め方向に配置できるよう構成することもできる。
【００２９】
また、上下ステー４２…４２の上端近くに、バー５と同様の、前後方向に延びる棒状の部材を設け、この部材に止め具８の一部が取り付けられるよう構成されることもできる。
【００３０】
また、ヒンジ部７は前記実施形態の蝶番には限定されず、前後方向に延びる軸を中心として、サイドカバー６を回動可能に支持できる部材であれば、種々の部材を用いることができる。また、ヒンジ部７をステー４に直接取付けるようにしてもよい。また、止め具８としては、前記実施形態の他に、例えば、磁石、面ファスナー等の、ステー４とサイドカバー６とを係止及び係止解除できるよう構成された種々部材を用いることができる。
【００３１】
また、荷台３の移動態様は、前記実施形態のように前後方向Ｍ１に移動可能であって、傾動もされる態様に限定されるものではない。例えば、ダンプトラックのように荷台３が傾動するもの、空港等で用いられるリフトトラックのように荷台３が昇降するもの、荷台３が水平方向のみに移動するものとできる。
【符号の説明】
【００３２】
１…荷台可動車両、２…車体フレーム、３…荷台、４…ステー、５…バー、６…サイドカバー、７…ヒンジ部、８…止め具、４１…側方ステー、４２…上下ステー、８１…主止め具、８２…副止め具
【図１】
2015096387.tif 000003
【図２】
2015096387.tif 000004
【図３】
2015096387.tif 000005